(57)【要約】【課題】  処理時間の短縮化を図る。【解決手段】  開始位置４１にあるＣＣＤカメラの露光を開いて表示画面の表示画像の取り込みを開始するとともに、ＸＺステージを水平方向及び垂直方向へ同時に駆動してＣＣＤカメラを表示画面に沿って斜めに移動する。ＣＣＤカメラが終了位置４２に到達した時点で、露光を閉じるとともにＸＺステージによる駆動を停止し、表示画像の取得を終了する（Ｓ１）。これにより、ＣＣＤカメラ２１が斜めに移動している間は、ＣＣＤカメラによる表示画面での表示画像の取得を行う。前記ＸＺステージによるＣＣＤカメラ３１の移動量は、フラットディスプレイの解像度を決定するドット数によって定められ、ＣＣＤカメラは、横方向に横ドットピッチ５１分、縦方向に縦ドットピッチ５２分同時に駆動される。【選択図】        図２
2005072816.tif 000002
【特許請求の範囲】
【請求項１】
フラットディスプレイでの表示画像をＣＣＤカメラで取得した際に発生するモアレを除去して検査を行うフラットディスプレイ検査装置のモアレ除去方法において、
前記フラットディスプレイで表示された表示画像を前記ＣＣＤカメラで取得する際に、該ＣＣＤカメラを、前記フラットディスプレイの表示画面における横方向でのドットピッチ及び縦方向でのドットピッチの範囲内で前記表示画面に沿って斜めに移動するとともに、画像を取得し、この取得画像を用いて検査を行うことを特徴としたディスプレイ検査装置のモアレ除去方法。
【発明の詳細な説明】
【技術分野】
【０００１】
本発明は、フラットディスプレイでの表示画像を取り込む際に生じたモアレを除去するフラットディスプレイ検査装置のモアレ除去方法に関する。
【背景技術】
【０００２】
従来、プラズマディスプレイや液晶モニター等のフラットディスプレイを検査する際には、該フラットディスプレイに検査用画像を表示するとともに、この表示画像をＣＣＤカメラで取得し、取得された画像を解析して欠陥等を検査していた。
【０００３】
このとき、前記フラットディスプレイの解像度を決定するドット数と、前記ＣＣＤカメラの画素数とが異なるため、このＣＣＤカメラでの取得画像には、モアレが発生してしまう。このため、画像解析を行う前のモアレ除去工程において、このモアレを除去していた。
【０００４】
このモアレ除去工程では、図４に示すように、初期位置１０１にてＣＣＤカメラで表示画像を取得した後、ＣＣＤカメラを水平方向へ微少量づつ移動し、その度に表示画像を取り込む。そして、１ピッチ分移動した所で、ＣＣＤカメラを縦方向へ微少量移動して表示画像を取得した後、ＣＣＤカメラを水平方向へ微少量づつ移動して、その度に表示画像を取り込む。これを繰り返し行うことで、９箇所で表示画像を取得する（ＳＢ１）。
【０００５】
その後、各表示画像を合成して一枚の合成画像を形成し（ＳＢ２）、モアレを除去して検査画像としていた。
【発明の開示】
【発明が解決しようとする課題】
【０００６】
しかしながら、このような従来のモアレ除去方法にあっては、ＣＣＤカメラによる取込回数が多い為、処理時間がかかるという問題があった。
【０００７】
本発明は、このような従来の課題に鑑みてなされたものであり、処理時間の短縮化を図ることができるフラットディスプレイ検査装置のモアレ除去方法を提供することを目的とするものである。
【課題を解決するための手段】
【０００８】
前記課題を解決するために本発明のフラットディスプレイ検査装置のモアレ除去方法にあっては、フラットディスプレイでの表示画像をＣＣＤカメラで取得した際に発生するモアレを除去して検査を行うフラットディスプレイ検査装置のモアレ除去方法において、前記フラットディスプレイで表示された表示画像を前記ＣＣＤカメラで取得する際に、該ＣＣＤカメラを、前記フラットディスプレイの表示画面における横方向でのドットピッチ及び縦方向でのドットピッチの範囲内で前記表示画面に沿って斜めに移動するとともに、この斜めに移動する間に前記表示画面での表示画像を連続して取得し、この取得画像を用いて検査を行う。
【０００９】
すなわち、フラットディスプレイで表示された表示画像をＣＣＤカメラで取得する際には、ＣＣＤカメラが前記フラットディスプレイの表示画面に沿って斜めに移動される。このとき、前記ＣＣＤカメラは、前記フラットディスプレイの表示画面における横方向でのドットピッチ及び縦方向でのドットピッチの範囲内にて移動され、この斜めに移動される間の表示画像が連続して取得される。
【００１０】
このため、前記フラットディスプレイのドット数と前記ＣＣＤカメラの画素数とが異なる為に現れるモアレの発生が解消される。
【００１１】
そして、このモアレの発生が解消された取得画像を用いて検査が行われる。
【発明の効果】
【００１２】
以上説明したように本発明のフラットディスプレイ検査装置のモアレ除去方法にあっては、フラットディスプレイで表示された表示画像を取得する際に、ＣＣＤカメラを斜めに移動するだけで、モアレが除去された画像を取得することができる。
【００１３】
したがって、ＣＣＤカメラを複数回移動して表示画像を取得した後、各箇所での表示画像を合成してモアレを除去していた従来と比較して、ＣＣＤカメラの移動時間及び表示画像の取込時間を削減することができ、処理時間の短縮を図ることができる。
【００１４】
また、表示画像の合成処理が不要となるため、この合成処理時間の短縮及び処理手順の簡素化を図ることができる。
【発明を実施するための最良の形態】
【００１５】
以下、本発明の一実施の形態を図に従って説明する。図１は、本実施の形態にかかるフラットディスプレイ検査装置１を示す図であり、該フラットディスプレイ検査装置１は、プラズマディスプレイや液晶モニター等のフラットディスプレイ２の表示状態を検査する装置である。
【００１６】
このフラットディスプレイ検査装置１は、検査ＰＣ１１を中心に構成されており、該検査ＰＣ１１は、点灯コントローラ１２を介して前記フラットディスプレイ２へ表示信号を出力するように構成されている。これにより、前記検査ＰＣ１１からの信号に応じた画像をフラットディスプレイ２の表示画面１３に表示して、当該フラットディスプレイ２の色ムラ検査やＲＧＢ各色の点灯検査を行えるように構成されている。
【００１７】
また、前記フラットディスプレイ検査装置１は、前記フラットディスプレイ２での表示を撮影するＣＣＤカメラ２１を備えている。該ＣＣＤカメラ２１は、カメラインターフェース２２を介して、前記検査ＰＣ１１に接続されており、当該ＣＣＤカメラ２１で撮影された画像が前記検査ＰＣ１１へ送られるように構成されている。
【００１８】
このＣＣＤカメラ２１は、ＸＺステージ３１によって前記フラットディスプレイ２に対向した部位に支持されており、当該ＸＺステージ３１は、前記ＣＣＤカメラ２１を前記フラットディスプレイ２の前記表示画面１３に沿って水平方向（Ｘ方向）及び垂直方向（Ｚ方向）へ移動する機構を備えている。このＸＺステージ３１は、ステージ制御装置３２を介して前記検査ＰＣ１１に接続されており、該検査ＰＣ１１からの制御信号によって、前記ＣＣＤカメラ２１を、前記表示画面１３に沿って水平方向及び垂直方向へ移動できるように構成されている。
【００１９】
前記検査ＰＣ１１は、内部に記憶されたプログラムに従って動作するように構成されており、前記フラットディスプレイ２への表示制御と、前記ＸＺステージ３１による前記ＣＣＤカメラ２１の駆動制御と、該ＣＣＤカメラ２１で取得した画像の画像処理とを行うとともに、画像処理結果等をモニタへ出力できるように構成されている。
【００２０】
以上の構成にかかる本実施の形態を、図２に示すフローチャートを用いて説明する。
【００２１】
すなわち、前記検査ＰＣ１１が前記フラットディスプレイ２の検査を行う際には、先ず検査用データを点灯コントローラ１２へ出力して、フラットディスプレイ２の表示画面１３に検査用の表示画像を表示させる。
【００２２】
次に、開始位置４１にあるＣＣＤカメラ２１の露光を開いて（シャッターを開く）前記表示画面１３の表示画像の取り込みを開始するとともに、前記ＸＺステージ３１を水平方向及び垂直方向へ同時に駆動して前記ＣＣＤカメラ２１を前記表示画面１３に沿って斜めに移動する。そして、前記ＣＣＤカメラ２１が終了位置４２に到達した時点で、露光を閉じる（シャッターを閉じる）とともに、前記ＸＺステージ３１による駆動を停止し、前記表示画像の取得を終了する（Ｓ１）。これにより、前記ＣＣＤカメラ２１が斜めに移動している間は、当該ＣＣＤカメラ２１による前記表示画面１３での表示画像の取得を連続して行う。
【００２３】
このとき、前記ＸＺステージ３１による前記ＣＣＤカメラ３１の移動量は、検査対象となるフラットディスプレイ２の解像度を決定するドット数によって定める。すなわち、フラットディスプレイ２は、縦横に配列された点発光素子で構成されており、水平方向に配列された点発光素子は、所定の横ドットピッチ５１おきに配置されている。また、垂直方向に配列された点発光素子は、所定の縦ドットピッチ５２おきに配置されており、前記ＣＣＤカメラ３１は、前記ＸＺステージ３１によって、横方向に前記横ドットピッチ５１分（横ドットピッチ５１以内であれば良い）、縦方向に前記縦ドットピッチ５２分（縦ドットピッチ５２以内であれば良い）同時に駆動される。
【００２４】
これにより、前記ＣＣＤカメラ２１は、前記表示画面１３における横方向での横ドットピッチ５１及び縦方向での縦ドットピッチ５２の範囲内にて、前記表示画面１３に沿って斜めに移動され、この斜めに移動される間の表示画像がＣＣＤカメラ２１で取得される。このため、前記フラットディスプレイ２のドット数と前記ＣＣＤカメラ２１の画素数とが異なることに起因して現れるモアレの発生を解消することができる。
【００２５】
このように、前記フラットディスプレイ２で表示された表示画像を取得する際に、前記ＣＣＤカメラ２１を斜めに移動するだけで、モアレが除去された画像を取得することができる。
【００２６】
したがって、ＣＣＤカメラを複数回移動して表示画像を取得した後、図３に示すように、モアレ線６１が現れた各箇所での表示画像６２を合成してモアレを除去していた従来と比較して、ＣＣＤカメラ２１の移動時間及び表示画像の取込時間を削減することができ、処理時間の短縮を図ることができる。
【００２７】
そして、前記ＣＣＤカメラ２１で取得した取得画像を、カメラインターフェース２２を介して取り込み、この取得画像を用いて色ムラ検査や点灯検査などを行う（Ｓ２）。
【００２８】
このとき、前記ＣＣＤカメラ２１では、図３に示したように、既にモアレの発生が解消された取得画像６５が得られている。このため、従来のようにモアレ線６１が現れた複数箇所での表示画像６２の合成処理が不要となるので、この合成処理時間の短縮及び処理手順の簡素化を図ることができる。
【図面の簡単な説明】
【００２９】
【図１】本発明の一実施の形態を示すブロック図である。
【図２】同実施の形態の動作を示すフローチャートである。
【図３】同実施の形態で取得された画像イメージを示す説明図である。
【図４】従来のモアレ除去手順を示すフローチャートである。
【符号の説明】
【００３０】
１    フラットディスプレイ検査
２    フラットディスプレイ
１１    検査ＰＣ
１３    表示画面
２１    ＣＣＤカメラ
３１    ＸＺステージ
５１    横ドットピッチ
５２    縦ドットピッチ
【図１】
2005072816.tif 000003
【図２】
2005072816.tif 000004
【図３】
2005072816.tif 000005
【図４】
2005072816.tif 000006